(57)【要約】【課題】同一光学系であっても、非使用時には従来よりさらに薄く縮退させ、より薄型になりカメラとして携帯性に優れる、撮影レンズユニットを得る。【解決手段】縮退（沈胴）時には、絞り及び／又はシャッタを開いた状態とし、光学系もしくは鏡枠の少なくとも一部が、絞り及び／又はシャッタの動作する領域に入り込んだ状態とする。【選択図】        図９
2004184811.tif 000002
【特許請求の範囲】
【請求項１】
入射光量を調定するための絞り及び／又はシャッタと、入射光束を予定焦平面に結像させるための光学系と、該光学系を内包する鏡枠と、該絞り及び／又はシャッタと該鏡枠の少なくとも一方を光軸方向に移動させる案内手段とを有し、非使用時には該案内手段により縮退し全長が短縮されるカメラの撮影レンズユニットにおいて、
該縮退時には、該絞り及び／又はシャッタを開いた状態とし、
該光学系もしくは該鏡枠の少なくとも一部が、該絞り及び／又はシャッタの動作面領域に入り込むことを特徴とするカメラの撮影レンズユニット。
【請求項２】
前記光学系は、変倍光学系であることを特徴とする請求項１に記載のカメラの撮影レンズユニット。
【請求項３】
遮蔽手段を有し、前記縮退時には前記光学系の前面を該遮蔽手段で遮蔽することを特徴とする請求項１又は２に記載のカメラの撮影レンズユニット。
【発明の詳細な説明】
【０００１】
【発明の属する技術分野】
本発明は撮影光学装置、詳しくは縮退することで全長を短縮し携帯性に優れたカメラの撮影レンズユニットに関するものである。
【０００２】
【従来の技術】
カメラを使用しない時は携帯に便利なように、撮影レンズを縮退（以下、沈胴とも称す）させ、外形をフラットにしコンパクトにすることは、古くより一般的におこなわれている。そして更なる薄型化を可能にするために種々の提案がなされている。
【０００３】
沈胴時に、光学系を移動させる案内手段等の光学系周辺の鏡胴を工夫することにより、より薄型化をおこなうものがある（例えば、特許文献１参照。）。
【０００４】
また、沈胴時に、より薄型化を可能にするには使用時（撮影可能状態）の光学系全長が短かく、構成枚数が少ないことが効果的であることに着目し、光学設計を工夫したものもある（例えば、特許文献２参照。）。
【０００５】
さらにビデオカメラ、デジタルカメラ用の光学系で、良好なテレセントリック特性を維持しつつ、即ち射出瞳位置が比較的像面から離れていながら、沈胴時に薄型となるよう光学設計を工夫したものもある（例えば、特許文献３参照。）。
【０００６】
【特許文献１】
特開平１１−２７１８２９号公報
【０００７】
【特許文献２】
特開平１０−２０６７３７号公報（第９図）
【０００８】
【特許文献３】
特開２００２−２７７７４０号公報（第２９図）
【０００９】
【発明が解決しようとする課題】
上記の特許文献１及び２に代表される提案は、フィルムを使用するカメラ用であって、レンズ内にシャッタを有する所謂レンズシャッタカメラの撮影レンズであるため、沈胴時にも光密を維持しなければならない。このためシャッタや絞りとの干渉を避けつつ、上述の工夫で沈胴時の薄型化を達成しようとするものである。
【００１０】
また特許文献３に示された撮像素子を使用するカメラの撮影レンズの場合にも、上記と同様に図２９にあるように、沈胴時にはシャッタや絞りとの干渉を避けた状態で沈胴させている。
【００１１】
しかし、ビデオカメラやデジタルカメラのように、記録媒体が撮像素子である場合、この絞り及び／又はシャッタとの干渉を避けることによる光軸方向のスペース及びクリアランスは、沈胴時の薄型化に関しては障害であり、無駄に費やされるスペースである。
【００１２】
本発明は、上記問題に鑑み、非使用時には従来よりさらに薄く縮退させ、より薄型になりカメラとして携帯性に優れる、撮影レンズユニットを得ることを目的とするものである。
【００１３】
【課題を解決するための手段】
上記の目的は、
１）  入射光量を調定するための絞り及び／又はシャッタと、入射光束を予定焦平面に結像させるための光学系と、該光学系を内包する鏡枠と、該絞り及び／又はシャッタと該鏡枠の少なくとも一方を光軸方向に移動させる案内手段とを有し、非使用時には該案内手段により縮退し全長が短縮されるカメラの撮影レンズユニットにおいて、該縮退時には、該絞り及び／又はシャッタを開いた状態とし、該光学系もしくは該鏡枠の少なくとも一部が、該絞り及び／又はシャッタの動作面領域に入り込むことを特徴とするカメラの撮影レンズユニット、
とすることで、非使用時には従来に比べ、さらに薄く縮退させることのできるカメラの撮影レンズユニットを得ることが可能となる。
【００１４】
２）  光学系は、変倍光学系である１）のカメラの撮影レンズユニット、
とすることで、非使用時の使用時に対する全長の比が最も小さくなり、本発明の効果が最も高くなる。
【００１５】
３）  遮蔽手段を有し、縮退時には光学系の前面を遮蔽手段で遮蔽する１）又は２）のカメラの撮影レンズユニット、
とすることで、非使用時の撮影レンズ前面を保護できる。また太陽光等に長時間さらされると、撮像素子の性能に変化を生じるような素子の場合でもその変化を防ぐことができる。
【００１６】
即ち、本発明者は、デジタルカメラ等の撮像素子を使用するカメラは、非使用時に絞り及び／又はシャッタによって光密にする必要が無いことに着目し、本発明に至ったものである。
【００１７】
【発明の実施の形態】
以下、実施形態により本発明を詳しく説明するが、本発明はこれに限定されるものではない。
【００１８】
図１は、本発明を適用したデジタルカメラの概略の外観図である。図１（ａ）はカメラ前面の斜視図、図１（ｂ）はカメラ背面の斜視図、図１（ｃ）は非使用状態を示した図である。
【００１９】
図１（ａ）において、１１は撮影レンズ、１２はファインダ窓、１３はレリーズ釦であり半押し状態と全押し状態が判別可能な２段スイッチとなっている。１４はフラッシュ発光部、１６はマイク、１７はストラップ取り付け部、１８はＵＳＢ端子である。１９はレンズカバーであり、このレンズカバー１９をスライドすることでメインスイッチをＯＮする。２０はセルフタイマーランプであり、点滅や点灯により被写体側にいる者に撮影タイミングを知らせるものである。
【００２０】
また非使用時は、図１（ｃ）に示すように、撮影レンズ１１は沈胴し、このレンズカバー１９がスライドして撮影レンズ１１、ファインダ窓１２、フラッシュ発光部１４の前面を覆い、これらを保護するようになっている。
【００２１】
図１（ｂ）において、２１はファインダ接眼部、２２は赤と緑の発光ダイオードでありＡＦやＡＥの情報を、発光もしくは点滅により撮影者に表示するものである。２３はズーム釦であり、ズームアップ、ズームダウンをおこなう釦である。２４はスピーカであり、マイク１６で録音した音声の再生や、レリーズ音等を発するものである。２５はメニュー／セット釦、２６は選択釦で４方向スイッチであり、３０はモニターＬＣＤで画像やその他文字情報等を表示する。メニュー／セット釦２５で、モニターＬＣＤ３０上に各種のメニューを表示させ、選択釦２６で選択し、メニュー／セット釦２５で確定させる機能を有している。２７は再生釦で、撮影した画像の再生をおこなう釦である。２８はディスプレイ釦で、モニターＬＣＤ３０に表示された画像やその他文字情報の表示や消去を選択する釦である。２９は消去釦で、撮影記録した画像の消去をおこなう釦である。３１は三脚穴、３２は電池／カード蓋である。電池／カード蓋３２の内部には、電池と撮影した画像を記録するカード型のリムーバブルメモリが装填されるようになっている。
【００２２】
なおファインダ窓１２の内部に設けられる光学ファインダーは、撮影レンズ１１に対応して、設定される。即ち、撮影レンズがズームレンズの場合は、ズームファインダ、単焦点レンズの場合は、固定式のファインダが、設けられる。
【００２３】
このように構成されたデジタルカメラにおいて、撮影レンズとして本発明を適用した単焦点レンズ、ズームレンズそれぞれの場合について説明する。
【００２４】
（単焦点レンズの場合）
図２は、単焦点レンズの断面構成の一例を示したものである。図２は使用時、即ち撮影可能な状態に、各レンズ群及び絞りとシャッタユニットが所定の間隔をもって配置された状態を示している。
【００２５】
図２において、４１はカム筒、４２は前群枠でありレンズ要素４３と４４を内包しつつ、この前群枠４２に設けられたカムピン部４２ａによりカム筒４１のカム溝に係合している。またこの前群枠４２は図示しないが直進ガイド部とも係合し、カム筒４１の回転により光軸方向へ移動可能となっている。４５は絞り・シャッタユニットであり、光路周囲に機構部が配置され、４６、４７は絞りとシャッタの羽根の動作面である。さらに、この絞り・シャッタユニット４５に設けられたカムピン部４５ａによりカム筒４１のカム溝に係合している。またこの絞り・シャッタユニット４５も同様に図示しないが直進ガイド部とも係合し、カム筒４１の回転により光軸方向へ移動可能となっている。
【００２６】
このカム筒４１に設けられたカム溝は、縮退（沈胴）した時、前群枠４２のレンズ要素４４を保持した部分が、絞り又はシャッタの動作面と干渉する位置に移動するよう設定されている。
【００２７】
４８は後群枠であり、レンズ要素４９、５０、５１、５２を内包している。この後群枠４８も図示しない直進ガイド部と係合しており、その一部に位置検出用の突起部４８ａと、スクリューシャフト５３ａと累合する突起部４８ｂを有している。
【００２８】
５３はステッピングモータ（以下、ＳＴＭと称す）であり、その回転軸にはスクリューシャフト５３ａが設けられ、このモータが回転するとスクリューシャフト５３ａが回転し、累合した後群枠４８の突起部４８ｂと直進ガイド部により、後群枠４８も光軸方向に移動可能となっている。５７はフォトインターラプタ（以下、ＰＩ（１）と称す）であり、後群枠４８の突起部４８ａが、このＰＩ（１）５７の投受光を遮蔽する状態から離脱した状態に切り替わる位置を起点として、ＳＴＭ５３のスクリューシャフト５３ａの回転角と回転方向を制御することにより後群枠４８の位置が決められる。更にこの後群枠４８の移動により、フォーカシングがおこなわれる。
【００２９】
５６は撮像素子、５５はオプチカルローパスフィルタ（以下、ＯＬＰＦと称す）と赤外カットフィルタを張り合わせた光学部材であり、保持部材５４により保持されている。
【００３０】
またカム筒４１は、その円周上の一部６０の位置に歯車形状を有し、ピニオン歯車６１により回転力を伝えられ回転するようになっている。このピニオン歯車６１は、減速歯車６２に繋がる図示しない歯車列とカム筒駆動モータにより駆動される。この減速歯車６２には、減速歯車６２と一体で回転するプロペラが設けられ、フォトインターラプタ（以下、ＰＩ（２）と称す）６４から出力されるパルス数で、減速歯車６２の回転量が検知できる。これにより、更に減速されたカム筒４１の回転角がわかるようになっている。
【００３１】
更に、その円周上の別の位置には、反射板５９とフォトリフレクタ５８が設けられ、カム筒４１の回転により反射板５９がフォトリフレクタ５８の検知範囲から離脱した位置を起点としてＰＩ（２）６４で検出するプロペラ６３の回転量により、カム筒４１の位置が制御できるようになっている。
【００３２】
次に、図２の撮影レンズユニットに使用される絞り・シャッタユニット４５の構成を説明する。
【００３３】
図３は、本発明に使用する絞り・シャッタユニット４５の一例を示したものである。図３（ａ）において、７０は地板であり、その中央部には開口部７０ａを有している。この開口部７０ａの直径は、図２に示す前群枠４２のレンズ要素４４を保持する枠部分の直径より大きく開けられている。７１、７２はシャッタ羽根でありデジタルカメラにおいては、撮影露光時に図示しないアクチュエータにより閉じ動作のみをおこなうものであり、通常は図示の位置で待機している。
【００３４】
７３は絞り部材ａ、７４は絞り部材ｂである。絞り部材ａ７３は、その開口部の直径をレンズ群４３、４４、４９〜５２で決まる開放絞りの直径に設定され、この開放絞りでの撮影時には図３（ｂ）に示す位置に、図示しないアクチュエータにより回動する。また絞り部材ｂ７４は、その開口部を開放絞りより小さな直径で、所望の絞り値に設定されており、この絞りでの撮影時には図３（ｃ）に示す位置に、図示しないアクチュエータにより回動する。
【００３５】
なお図３（ｃ）では絞り部材ａ７３を退避させて絞り部材ｂ７４を挿入したが、絞り部材ｂ７４で撮影する時は、絞り部材ａ７３を退避させずに、重ねて使用してもよい。また開口部７０ａは、地板７０ではなくシート状の別部品で形成し、地板７０に組み付けられたものでもよい。
【００３６】
また上述のアクチュエータ及びモータの駆動制御や、フォトインターラプタ、フォトリフレクタからの検知情報は、図示しないＣＰＵにより有機的に連動制御されるように構成されている。
【００３７】
次に、図２の撮影レンズユニット及びこの撮影レンズユニットに使用される図３の絞り・シャッタユニットの動作について、説明する。
【００３８】
図４は、図２に示す撮影レンズユニットの動作に関する概略のフローチャートである。なおこのフローチャートは、非使用状態（レンズカバー１９の閉状態で撮影レンズユニットが沈胴状態）から始まるものとして示している。
【００３９】
まず、メインスイッチがＯＮされる（Ｓ１０１）。このメインスイッチは、図１に示すカメラでは、レンズカバー１９の開動作に連動したスイッチにより検出される。なおレンズカバーのないカメラにおいては、カメラ動作を開始するスイッチがこれに相当する。
【００４０】
この後、カム筒駆動モータに通電し、カム筒を前群枠４２が繰り出される方向に回転開始させる（Ｓ１０２）。繰り出される方向とは被写体側の方向である。一方、フォトリフレクタ５８は、反射板５９がカム筒の回転に伴って回転し、フォトリフレクタ５８の検出領域から離脱するのを監視する（Ｓ１０３）。
【００４１】
フォトリフレクタ５８の検出領域から反射板が離脱したと判断されると、その時点よりＰＩ（２）６４がプロペラ６３の回転によるパルスカウントをスタートし、所定のパルス数となるまでカム筒、即ちカム筒駆動モータを回転させた後、停止する（Ｓ１０４）。この所定のパルス数とは、製造時に入力された固定値である。即ちフォトリフレクタ５８の検出領域からの反射板の離脱タイミングをカム筒回転の起点として、所定の回転角だけ回転させ停止することにより、カム筒に係合した前群枠と絞り・シャッタユニットは、撮影時の所定の位置に設定される。
【００４２】
次にＳＴＭ５３のスクリューシャフト５３ａを、後群枠４８の繰り出し方向へ回転開始する（Ｓ１０５）。一方ＰＩ（１）は、後群枠４８の突起部４８ａがＰＩ（１）から離脱するのを監視する（Ｓ１０６）。ＰＩ（１）から後群枠４８の突起部４８ａが離脱したと判断されると、その時点から、所定のステップ数だけ繰り出し方向にスクリューシャフト５３ａを回転させた後、停止する（Ｓ１０７）。これで後群枠４８は、撮影時の初期位置に設定される。この後群枠４８の初期位置は、あらかじめ測定により決められた無限ピント位置もしくはその近傍の位置が通常設定される。この後、絞り部材ａを光路中に挿入する（Ｓ１０８）。即ち図３（ａ）の状態から図３（ｂ）の状態となる。
【００４３】
以上で、カメラは撮影準備状態が完了し、図１（ａ）の状態となる。
この状態で、メインスイッチがＯＦＦされたかどうか（レンズカバー１９が閉方向に移動させられたかどうか）を監視し（Ｓ１０９）、ＯＦＦされたと判断した場合はＳ１１５へジャンプし図５に示す以降のフローに従い、ＯＦＦされていない場合は、レリーズ釦１３が半押しされたかどうかを監視する（Ｓ１１０）。ここで、レリーズ釦１３が半押しされていない場合はＳ１０９へ戻る。即ち撮影準備状態では、メインスイッチがＯＦＦされるか、レリーズ釦１３が半押しされるまでＳ１０９とＳ１１０のループを繰り返す。
【００４４】
Ｓ１１０でレリーズ釦１３が半押しされるとＳ１１１へ移行し、ＡＦ動作とＡＥ準備動作をおこなう（Ｓ１１１）。ＡＦ動作は、例えばＳＴＭ５３のスクリューシャフト５３ａを所定のステップで回転駆動し後群枠４８を繰り出し方向へ移動させ、得られた画像データを評価し最も評価値の高い位置に後群枠４８を停止させることでおこなわれる。またＡＥ準備動作は、撮像素子５６の蓄積時間を変化させて画像データを取得し、適正なレベルが得られなければ、絞り部材ｂ７４に変えて同様に画像データを取得しつつ収斂させ、撮影に備えて、適正な絞りとシャッタ速度の値を決定する。
【００４５】
これらの動作が終了した後、再度レリーズ釦１３が半押しされているかどうか確認し（Ｓ１１２）、されていなければＳ１０９へ戻る。半押しされている場合は、レリーズ釦１３が全押しされるのを待機し（Ｓ１１３）、Ｓ１１２とＳ１１３のループを繰り返す。
【００４６】
Ｓ１１３で、レリーズ釦１３が全押しされたと判断すると、撮影記録動作に入る（Ｓ１１４）。ここでは通常の撮影記録動作、即ちＳ１１１で決定された絞りとシャッタ速度で、シャッタ羽根７１、７２を閉じ、撮像素子５６で得られた画像信号を所定の信号処理過程を経て記録媒体、例えばカード型のリムーバブルメモリに記録をおこなう。なお、シャッタ羽根７１、７２は、撮像素子５６からの画像信号の読み出しが終了した後、開状態に戻される。
【００４７】
記録終了後はＳ１１０へ戻り、再度Ｓ１０９とＳ１１０のループを繰り返し、メインスイッチがＯＮ状態でレリーズ釦１３が半押しされると、Ｓ１１１〜Ｓ１１４の動作を繰り返す。以上が撮影に関わる動作である。
【００４８】
一方メインスイッチがＯＦＦされると、Ｓ１１５へジャンプし、本発明に関わる以下の縮退（沈胴）動作をおこなう。
【００４９】
図５は、図４に続く、メインスイッチがＯＦＦされて以降の動作を示すフローチャートである。
【００５０】
まず、光路中にある絞り部材（図３（ｂ）又は（ｃ）の状態）を、光路中から退避させ図３（ａ）の状態にする（Ｓ１１５）。次に後群枠４８を撮像素子方向への移動を開始する、即ちＳＴＭ５３のスクリューシャフト５３ａを後群枠４８の繰り込み方向へ回転開始する（Ｓ１１６）。次いで、ＰＩ（１）５７は、後群枠の突起部４８ａがＰＩ（１）５７の投受光を遮るかどうか監視する（Ｓ１１７）。後群枠の突起部４８ａがＰＩ（１）５７の投受光を遮ったと判断すると、その時点から、所定のステップ数だけ繰り込み方向にスクリューシャフト５３ａを更に回転させた後、停止する。この所定のステップ数は、あらかじめ決められた固定値で繰り出し時とは異なるステップ数が用いられる。これにより、後群枠４８は非使用時、即ち縮退時の位置で停止させられる。
【００５１】
次に、カム筒駆動モータに通電し、カム筒４１を前群枠４２の繰り込み方向に回転開始させる（Ｓ１１９）。この回転方向は、繰り出しの場合と逆方向である。次いで、フォトリフレクタ５８は、カム筒上の反射板５９が検知範囲内に戻って来るのを監視する（Ｓ１２０）。フォトリフレクタ５８がこの反射板５９を検知すると、このタイミングを起点とし、ＰＩ（２）６４のカウントをスタートし所定のパルス数となるまでカム筒駆動モータを駆動した後、停止させる（Ｓ１２１）。この所定のパルス数は、あらかじめ決められた固定値で繰り出し時とは異なるパルス数が用いられる。これにより前群枠４２、絞り・シャッタユニット４５、後群枠４８は縮退（沈胴）を完了する。
【００５２】
図６は、同一光学系で、従来の縮退時と本発明を適用した縮退時の状態を比較した図である。図６（ａ）は本発明を適用して、縮退（沈胴）した状態を示し、図６（ｂ）は従来の縮退（沈胴）した状態を示している。
【００５３】
図６（ａ）に示すように、絞り又はシャッタと前群枠４２のレンズ要素４４を保持する枠部分があたかも干渉したかのような状態に縮退（沈胴）する。
【００５４】
これは、前述のカム溝は絞り又はシャッタの動作する面と前群枠４２のレンズ要素４４を保持する枠部分が干渉するよう設定されており、また、絞り・シャッタユニット４５の開口部７０ａの直径は、前群枠４２のレンズ要素４４を保持する枠部分の直径より大きく開けられている。このため、絞り及びシャッタをこの開口部７０ａから退避させれば、前群枠４２のレンズ要素４４を保持する部分は、実際には干渉することなく、この開口部７０ａの絞り及びシャッタの動作領域に入り込むことが可能となっているからである。
【００５５】
一方、図６（ｂ）に示すように従来の縮退は、絞り・シャッタの動作面に干渉しない位置で停止するようになっている。即ち、同一光学系であっても、本発明を適用すれば縮退（沈胴）時には、より全長を短くすることが可能となる。
【００５６】
なお、上述の説明の撮影レンズユニットでは、前群枠が絞り・シャッタ動作面に入り込んだ状態に縮退したが、場合により後群枠を入り込んだ状態としてもよい。また前群枠や後群枠よりもレンズ要素の面が突出している場合、このレンズ要素の一部が絞り・シャッタ動作面に入り込んだ状態となる場合も本発明を逸脱するものでない。即ち光学系や各構成部材に応じて最適な選択をすればよいのは言うまでもない。
【００５７】
次に、変倍光学系、即ちズームレンズの場合について説明する。
（ズームレンズの場合）
図７は、ズームレンズを構成するレンズ断面図の一例である。図７（ａ）はワイド端、図７（ｂ）はテレ端のレンズ群の位置を示している。
【００５８】
８１は第一群枠、８２は第二群枠、８３は第三群枠であり、図示のようにそれぞれの枠内にはレンズ要素を内包している。４５は絞り・シャッタユニット、４６、４７は絞りとシャッタの動作面を示している。５５はＯＬＰＦと赤外カットフィルタを張り合わせた光学部材、５６は撮像素子である。
【００５９】
図示しないが、第一群枠８１、第二群枠８２及び絞り・シャッタユニット４５はそれぞれカム筒と係合し、カム筒駆動モータによるカム筒の回転により、光軸方向に移動可能で、カム筒の停止位置により種々の焦点距離が得られるようなカム溝が設けられており、また、このカム筒も図示しない固定胴により光軸上を移動可能なよう構成されている。具体的には、第一群枠８１、第二群枠８２及び絞り・シャッタユニット４５は撮影時には、それぞれ図７の矢印で示すような移動をおこなう構成となっている。更に非使用時には後述の図９（ａ）に示す縮退時の位置関係となるようなカム溝が設けられている。第三群枠８３も図２と同様にＳＴＭで光軸方向に移動可能となっており、ＳＴＭにより、ズーミング時の移動に加えフォーカシングをおこなう機能と縮退時に撮像素子方向に移動する機能を有している。
【００６０】
またその他、図２と同様に上述のカム筒の回転角をカウントする起点となる反射板及びフォトリフレクタ（図２における反射板とフォトリフレクタに相当する）、カム筒の回転角を検知するフォトインターラプタ（図２におけるＰＩ（２）に相当する）、第三群枠には図２における後群枠の突起部４８ａと同様の突起部を有し、この突起部を検出するフォトインターラプタ（図２における後群枠の位置検出をおこなうＰＩ（１）に相当する）が設けられた構成になっている。
【００６１】
更に、絞り・シャッタユニット４５も図３に示す構成のものを使用可能である。この構成では、絞り・シャッタユニット４５の開口部７０ａの直径は、第二群枠８２の物体側、即ち絞り・シャッタユニット側の直径より大きく設定されている。
【００６２】
図８は、このように構成された、ズームレンズを縮退させる際のフローチャートである。なお図８のフローチャートは、図５と同様にメインスイッチがＯＦＦされてからの縮退（沈胴）動作の部分についてのみ記してある。
【００６３】
図８に従い、順次説明すると、まずメインスイッチがＯＦＦされる（Ｓ１５１）と、絞り・シャッタユニットの光路中に挿入されている絞り部材を光路中から退避させる（Ｓ１５２）。そして、第三群枠を移動させるＳＴＭを、第三群枠の繰り込み方向に回転を開始させる（Ｓ１５３）。次いでこの第三群枠の突起部の有無を検出するフォトインターラプタが、第三群枠の突起部の有無を監視し（Ｓ１５４）、突起部を検出した時点を起点として、ＳＴＭを所定ステップ繰り込み方向へ回転させ、停止する（Ｓ１５５）。
【００６４】
次に、第一群枠、第二群枠及び絞り・シャッタユニットを繰り込み方向へ移動させるようカム筒を回転させるべく、カム筒駆動モータを回転開始させる（Ｓ１５６）。次いでフォトリフレクタは、反射板が検出範囲に戻ってくるのを監視し（Ｓ１５７）、反射板を検出すると検出した時点を起点とし、カム筒の回転角検出用のフォトインターラプタがカウントスタートし、所定のパルス数（即ちプロペラの回転角）となるまでカム筒駆動モータを回転後、停止する（Ｓ１５８）。以上で、図７に示した本発明のズームレンズの縮退（沈胴）は完了する。
【００６５】
図９は、図７に示すズームレンズの、従来の縮退時と本発明を適用した縮退時の状態を比較した図である。図９（ａ）は、本発明を適用した縮退時の状態であり、図９（ｂ）は従来の縮退時の状態を示している。
【００６６】
図９に示すように、本発明の縮退時は、絞りとシャッタの退避後に、第二群枠８２が絞り・シャッタユニットの開口部に入り込み、第一群枠８１のレンズ要素と干渉直前まで近接することができる。一方、従来の縮退では、絞りとシャッタの動作面４６、４７と第二群枠８２のレンズ要素が干渉直前まで近接する。即ち本発明を適用すれば、同一光学系でも従来より縮退（沈胴）時の全長の短縮が可能となり、特にズームレンズの場合、非使用時の使用時に対する全長の比が小さくなり、本発明の効果を最も大きく享受することができる。
【００６７】
以上、本発明を適用した例について説明したが、絞り・シャッタユニットは上記の例のみならず、多数枚の羽根を使用し、羽根形状を工夫することにより絞り値を変化させても円形を維持するような構成とし、絞りを最大に開いた時には、入り込む光学系または鏡枠と干渉しない径となり、使用時は少し絞り込んだ径を撮影の開放絞りとして使用するよう構成したものを使用してもよい。
【００６８】
図１０は、この多数枚の羽根を使用した絞りユニットの例である。図１０（ａ）は、使用時即ち撮影時の開放絞りを示し，図１０（ｂ）は縮退時の状態を示している。図１０において、破線で示した９１が１枚の絞り羽根であり、この絞り羽根にはそれぞれ固定ピン９１ａと可動ピン９１ｂが植設され、これが等角度で配置される。可動ピン９１ｂは、回動する絞り規制板９２のガイド溝９２ａと係合し、この絞り規制板９２が図示矢印方向に回動すると、固定ピン９１ａに対し可動ピン９１ｂの位置が変化し、結果としてほぼ円形のままその絞り径ｄを変化させることができる。
【００６９】
図１０（ｂ）は、この絞り規制板９２を、図示矢印と逆方向に回動させた状態を示しており、開口部の径が最大になった状態（Ｄで示す）である。このＤが前述の図３における開口部７０ａとなるよう設定する。
【００７０】
即ち、図１０（ａ）に示す、やや絞り込まれた状態を撮影時の開放状態とし、図１０（ｂ）に示す状態にして縮退（沈胴）させることで本発明に適用できる。また撮影時の開放状態の径と縮退時に必要な開口部の径が同じ場合は、図１０（ｂ）に示す状態を撮影時の開放状態とすればよい。更に絞り及び／又はシャッタの動作領域に入り込む、光学系もしくは鏡枠の少なくとも一部が、絞りを図１０（ｂ）のように全開する必要の無い場合は、絞り及び／又はシャッタを光学系もしくは鏡枠と干渉しない程度に開き、縮退（沈胴）してもよいのは勿論である。
【００７１】
また、絞り・シャッタユニットのセクターが絞りとシャッタを兼用する形式のものでもよいのは勿論である。
【００７２】
上述の撮影レンズは、各レンズ群の移動をカム筒とＳＴＭで駆動するもので説明したが、各レンズ群を個々に独立してスクリューシャフト等により光軸上を移動するようにしたものも本発明を逸脱するものでない。
【００７３】
また、上記の説明では、撮影レンズユニットの非使用時の例としてメインスイッチＯＦＦの場合を説明したが、本発明はこれに限るものでなく、所定時間操作されないとＯＦＦ状態となる所謂オートパワーオフの場合、撮影レンズユニットを撮影状態とする必要のない再生モードの場合、外部機器と通信状態の場合等に縮退をおこなうものであってもよい。
【００７４】
更に遮蔽手段として、スライドするレンズカバーで説明したが、鏡胴内前面に設けられた瞼状の部材が開閉する方式でもよいのは勿論である。
【００７５】
更にまた、本発明は、撮影レンズユニット内の絞り及び／又はシャッタで光密にする必要のないフォーカルプレンシャッタを使用するカメラの撮影レンズにも適用可能である。
【００７６】
図１１は、フォーカルプレンシャッタの一眼レフカメラの撮影レンズに本発明を適用した一例である。図１１（ａ）は、撮影時の状態を示し図１１（ｂ）は縮退（沈胴）時の状態を示している。図１１（ａ）において、１０１はフォーカルプレンシャッタ、１０２はフィルム面又は撮像素子面、１０３は第一群、１０４は第二群、１０５は第三群、１０６は第四群、１０７は絞りである。１０３〜１０７の各レンズ群と絞りはそれぞれ破線のように光軸上を移動し、変倍することができる。このように構成された撮影レンズを、縮退時は図１１（ｂ）に示したように、絞り１０７の動作面に第二群１０４を入り込ませ、第三群１０５と干渉する直前まで近接させることで最も全長が短縮された形態とすることができる。
【００７７】
【発明の効果】
以上説明したように、同一光学系であっても、本発明を適用すれば縮退（沈胴）時には、従来より全長を短くすることが可能となり、携帯性に優れたカメラを得ることができる。また、この効果は特にズームレンズに顕著なものとできる。
【００７８】
また、縮退時には、レンズ前面に遮蔽手段を有し、縮退時には光学系の前面を遮蔽手段で遮蔽することで、非使用時の撮影レンズ前面を保護できるとともに、太陽光等に長時間さらされると、撮像素子の性能に変化を生じる素子の場合でもその変化を防ぐことができる。
【図面の簡単な説明】
【図１】本発明を適用したデジタルカメラの概略の外観図である。
【図２】単焦点レンズの断面構成の一例を示したものである。
【図３】本発明に使用する絞り・シャッタユニットの一例を示したものである。
【図４】図２に示す撮影レンズユニットの動作に関する概略のフローチャートである。
【図５】図４に続く、メインスイッチがＯＦＦされて以降の動作を示すフローチャートである。
【図６】同一光学系で、従来の縮退時と本発明を適用した縮退時の状態を比較した図である。
【図７】ズームレンズを構成するレンズ断面図の一例である。
【図８】ズームレンズを縮退させる際のフローチャートである。
【図９】図７に示すズームレンズの、従来の縮退時と本発明を適用した縮退時の状態を比較した図である。
【図１０】多数枚の羽根を使用した絞りユニットの例である。
【図１１】フォーカルプレンシャッタの一眼レフカメラの撮影レンズに本発明を適用した一例である。
【符号の説明】
１１  撮影レンズ
１９  レンズカバー
４１  カム筒
４２  前群枠
４５  絞り・シャッタユニット
４８  後群枠
５３  ステッピングモータ
５５  オプチカルローパスフィルタ（ＯＬＰＦ）
５６  撮像素子
５７  フォトインターラプタ（ＰＩ（１））
５８  フォトリフレクタ
５９  反射板
６１  ピニオン歯車
６３  プロペラ
６４  フォトインターラプタ（ＰＩ（２））
８１  第一群枠
８２  第二群枠
８３  第三群枠
【図１】
2004184811.tif 000003
【図２】
2004184811.tif 000004
【図３】
2004184811.tif 000005
【図４】
2004184811.tif 000006
【図５】
2004184811.tif 000007
【図６】
2004184811.tif 000008
【図７】
2004184811.tif 000009
【図８】
2004184811.tif 000010
【図９】
2004184811.tif 000011
【図１０】
2004184811.tif 000012
【図１１】
2004184811.tif 000013